(57)【要約】【課題】切断能力に優れ、折損の少ないナイロンコード式刈払機用カッターヘッドの構造を実現する。【解決手段】ナイロンコード２はその断面形状を方形とし、基部に太径であるストッパー４を形成する。ナイロンコードは、回転駆動されるカッターヘッドの１中心部に形成した凹所５から外方に向けて貫通するガイド孔６を通過させて基部に形成したストッパー４をガイド孔６の内端に支受させて先方部分を外方に突出させる。ガイド孔６の内方部分6aは、ナイロンコード２の断面形状と一致する方形であって、切断刃が形成される稜線部分が回転方向の前方に位置するように穿設する。ガイド孔の外方部分6bは大きく開口させ、回転方向の下流側形状を、開口面に沿ってナイロンコードを曲げたときに折れることがない大きさのアール曲面12に形成する。【選択図】  図５
0003165107.tif 000002
【実用新案登録請求の範囲】
【請求項１】
エンジンなどの動力によって回転駆動され、外方に向けて突出させて装着したナイロンコードによって草などの切断作業を行うナイロンコード式刈払機用カッターヘッドにおいて、
ナイロンコードはその断面形状を方形とし、基部に太径であるストッパーを形成し、
該ナイロンコードは、カッターヘッドの中心部に形成した凹所から外方に向けて貫通するガイド孔を通過させ、基部に形成したストッパーをガイド孔の内端に支受させて先方部分を外方に突出させ、
前記ガイド孔の内方部分は、ナイロンコードの断面形状と一致する方形であって、切断刃が形成される稜線部分が回転方向の前方に位置するように穿設するとともに、
ガイド孔の外方部分は大きく開口させ、回転方向の下流側形状を、開口面に沿ってナイロンコードを曲げたときに折れることがない大きさのアール曲面に形成したことを特徴とするナイロンコード式刈払機用カッターヘッド。
【請求項２】
断面形状が方形であるナイロンコードは、対向する稜線部分に一定間隔で凹弧状の切欠部を形成することによって鋸歯状の切断刃を形成し、回転方向の前端に鋸歯状の切断刃を位置させることを特徴とする請求項１記載のナイロンコード式刈払機用カッターヘッド。
【請求項３】
カッターヘッドに装着するナイロンコードの先方部分を、回転方向の後方に向けて後退するように、湾曲形状に形成したことを特徴とする請求項１又は２記載のナイロンコード式刈払機用カッターヘッド。
【考案の詳細な説明】
【技術分野】
【０００１】
本考案は、エンジンなどの動力によって回転駆動されるカッターヘッドに、外方に向けて突出するナイロンコードを装着し、ナイロンコードの回転によって草などの切断作業を行うナイロンコード式刈払機用のカッターヘッドに関する考案である。
【背景技術】
【０００２】
刈払機には、回転駆動されるカッターヘッドに、外方に向けてナイロンコードを突出させ、高速回転をするナイロンコードによって雑草の切断作業を行うナイロンコード式刈払機が知られている。
ナイロンコード式刈払機は、巻回した円形断面のナイロンコードを順次繰り出して使用するのが一般的な構造であるが、ナイロンコードの断面形状を四角形とする思想が特許文献１に記載されている。また、一端に抜け止めを形成した一定寸法のコードを使用する思想が、特許文献２や３に開示されている。
【先行技術文献】
【特許文献】
【０００３】
【特許文献１】実開平０７−３０６１５号公報
【特許文献２】特開２００２−３５４９２０号公報
【特許文献３】特開２００７−１３５４１８号公報
【考案の概要】
【考案が解決しようとする課題】
【０００４】
特許文献１に開示された発明は、四角形断面のコードそのものを捩れがあるように形成し、稜線のいずれかの部分が回転方向の前方に位置し、稜線による切断能力を平均化しようとするものである。この発明では、四角形断面の稜線は、長さ方向の一部分においてのみ回転方向の前方に位置するため、必ずしも全長に渡って最良の切断状態を維持することができない。
特許文献２や３に記載された発明は、抜け止めによってコードを装着するものであるが、コードそのものは円形断面であるため、円形断面に対する回転位置の方向性は問題とならず、切断能力は単なる円形断面のナイロンコードであって切断能力に劣る欠点があった。
【０００５】
上記したように、本考案は、一般的な円形断面のナイロンコードや従来公知の四角形断面のナイロンコードよりも切断能力に優れた、取り扱いの容易なナイロンコード式刈払機用カッターヘッドの構造を実現することを目的とするものである。
また、本考案の別の目的は、ナイロンコードの折損の可能性が少なく、丈夫で最適の切断状態をなるべく永く維持することができる構造を実現することを目的とする考案である。
【考案の開示】
【課題を解決するための手段】
【０００６】
本考案は、エンジンなどの動力によって回転駆動され、外方に向けて突出させて装着したナイロンコード２によって草などの切断作業を行うナイロンコード式刈払機用のカッターヘッド１に関するものである。
先に述べた目的を達成するため、請求項１記載の本考案は、一定寸法のナイロンコード２の断面形状を方形とし、基部に太径であるストッパー４を形成する。
【０００７】
ナイロンコード２は、カッターヘッド１の中心部に形成した凹所５から外方に向けて貫通するガイド孔６を通過させ、基部に形成したストッパー４をガイド孔６の内端に支受させて先方部分を外方に突出させる。
ガイド孔６の内方部分6aは、ナイロンコード２の断面形状と一致する方形であって方形断面の稜線2aが回転方向の前端に位置してしっかりと保持されるように穿設する。これにより、方形断面ナイロンコード２は、稜線2a部分が回転方向の前方に位置して回転する。方形断面の稜線2aが回転方向の前端に位置する配置は、方形の四隅を上下左右に位置させることである。
【０００８】
さらに、本考案の特徴は、ガイド孔６の外方部分6b、すなわち出口部分を大きく開口させるとともに、回転方向の下流側形状を、開口面に沿ってナイロンコード２を曲げたときに折れることがない大きさである大きなアール曲面12に形成することである。
【０００９】
請求項２記載の考案は、断面方形であるナイロンコード２の対向する稜線2a部分に一定間隔ごとに凹弧状の切欠部３、３を形成することによって鋸歯状の切断刃10を形成することである。鋸歯状の切断刃10を形成した稜線部分は、回転方向の前端に位置させる。これにより、常に鋸歯状の切断刃10で切断作業を行わせることである。
【００１０】
請求項３記載の考案は、カッターヘッド１に装着するナイロンコード２の先方部分を、回転方向の後方に向けて後退するように、湾曲形状に形成することである。
【考案の効果】
【００１１】
請求項１記載の本考案ナイロンコード式刈払機用カッターヘッドによれば、方形断面であるナイロンコード２の稜線2a部分が、前方に位置した状態で回転駆動させることができる。すなわち、方形断面の稜線2aが切断部（切断刃）となって良好な切断状態を維持することができる。この状態は、方形断面としたガイド孔６と方形断面のナイロンコード２が嵌合していることによって確実に維持することができる。したがって、ナイロンコード式の刈払機でありながら、ナイロンコードが常に優れた切断機能を発揮し、その状態を維持させて運転することができる効果がある。
【００１２】
すなわち、ナイロンコード２を装着するガイド孔６の内方部分6aは、ナイロンコード２の断面形状と一致する方形であるためしっかりと安定的に保持される。さらに、ガイド孔６の出口部分である外方部分6bは、大きく開口させているため切断作業に伴ってナイロンコード２を後方に引っ張るような力が作用しても、ナイロンコード２に無理な力が作用せず、特に、回転方向の下流側形状を、開口面に沿ってナイロンコード２を曲げたときに折れることがない大きさの比較的大きなアールのアール曲面12に形成することによって、ナイロンコード２の折損を防止し安心して使用することができる効果がある。
【００１３】
請求項２記載の考案によれば、ナイロンコード２の対向する稜線2a部分が、切欠部３を設けることによって鋸歯状の切断刃10となっている。これにより、より優れた切断能力を発揮し、その切断能力を安定的に保持することができる効果がある。
請求項３記載の考案によれば、予めナイロンコード２の先方部分を、回転方向の後方に向けて後退するように湾曲形状に形成したことによって、刈払いの作業に際してナイロンコード２に作用する曲げ応力を小さくすることができ、より丈夫なナイロンコードとすることができ、ナイロンコードの折損を効果的に回避することができる。
【図面の簡単な説明】
【００１４】
【図１】図１は、本考案ナイロンコード式刈払機用カッターヘッドを使用する実施形態の、刈払機の先端部分の分解斜視図、
【図２】図２は、カッターヘッドの平面図、
【図３】図３は、カッターヘッドの底面図、
【図４】図４は、図３の中央横断面図、
【図５】図５は、図４のV−V線断面図、
【図６】図６は、図４のVI−VI線断面図、
【図７】図７の（ａ）は、ナイロンコードの平面図であって、（ｂ）は一部分の拡大図、（ｃ）は（ｂ）のＣ−Ｃ線断面図、（ｄ）は一部分のみの側面図である。
【考案を実施するための最良の形態】
【００１５】
以下、本考案に係るナイロンコード式刈払機用カッターヘッドの実施形態を添付の図面に基づいて説明する。
図１は、本考案のナイロンコード式刈払機用カッターヘッドを使用する実施形態の、刈払機の先端部分の分解斜視図、図２は、カッターヘッドの平面図である。
カッターヘッド１は、刈払機本体７の先端部分に、受刃金具８を介し、締付ボルト９によって回転駆動されるように取り付けている。
【００１６】
エンジンやモータなどによって回転駆動されるカッターヘッド１には、対向する二箇所に、カッターとなるナイロンコード２を取り付け、ナイロンコードの先方をカッターヘッド１の外方に突出させ、カッターヘッド１を高速で回転させることによってナイロンコード２で雑草などの切断を行なうようにしている。
【００１７】
カッターヘッド１に装着するナイロンコード２は、図７に示すようにその断面形状を方形、図面上正方形としている。ナイロンコードは、単純な方形断面とし、直線的な稜線2a部分で雑草などを切断するものであってもよいが、図示実施形態のナイロンコード２は、対向する稜線2a部分に一定間隔で凹弧状の切欠部３、３を形成することによって鋸歯状の切断刃10、10を形成している。ナイロンコード２は一定寸法とし、その基部に太径のストッパー４を形成している。太径のストッパー４は、ナイロンコード２の基部をインサートして合成樹脂材を円柱状に成型することによって形成することができる。
【００１８】
刈払機本体７の先端部分に取り付けられるカッターヘッド１は、図２ないし図６に示すように、全体を円形としその上面を刈払機本体７との取り付け構造11として上方に突出させ、取り付け構造11の裏面に凹所５を形成している。ナイロンコード２を装着するために、カッターヘッド１には凹所５から外周方向に向けて貫通し、外周に開口するガイド孔６を穿設している。
この構成によって、ナイロンコード２は、カッターヘッド１の中心部に形成した凹所５から外方に向けて貫通するガイド孔６を通過させ、基部に形成したストッパー４をガイド孔６の内端に支受させて先方部分を外方に突出するようにしている。
【００１９】
図４ないし図６から理解されるように、ガイド孔６の一定寸法の内方部分6aは、ナイロンコード２の断面形状と一致する方形であって、切断刃10が形成される稜線2a部分が回転方向の前方に位置するように穿設している。
すなわち、図６に示すように、方形の四隅が上下左右に位置するようにしている。ガイド孔６の開口部となる外方部分6bは、外周方向に向けて大きく開口させ、図５に二点差線で示すようにナイロンコード２がある程度自由に撓むようにしている。
【００２０】
開口部すなわちガイド孔６の外方部分6bの平面断面形状は、図５に示すように回転方向の下流側形状を大きなアール曲面12に形成している。このときのアール曲面のアールの大きさは、開口面に沿ってナイロンコード２を、ゆっくりと、あるいは衝撃的に曲げたときに、ナイロンコード２が折れる応力が作用しない大きさの比較的大きなアールのアール形状とする。
開口部の、回転の上流側の断面形状は、特に大きなアール面とする必要はないが、ナイロンコード２が反発したときに衝突して集中荷重が作用するような角張った形状でないことが好ましい。
【００２１】
ナイロンコード２は、図７に示すように稜線2a部分に切欠部３、３を形成することによって切断刃10を形成している。カッターヘッド１に装着されたナイロンコード２が回転すると、進行方向の切断刃10の切欠部３、３に被切断物が引き込まれ、切欠部の稜線3aが鋸歯ないし切断刃として機能し能率的に雑草などを切断する。このとき、ナイロンコード２は切削抵抗や切断しきれないものの抵抗によって図５の二点鎖線に示すように後方に向けて撓み、稜線3aと被切断物との接触方向が斜めとなることによって、より切断され易くなる。
【００２２】
被切断物とナイロンコードの切断部との接触角度を、常に適度な斜め方向に維持するために、図７の（a）に示すように後方に向けて後退する湾曲形状としておくことによって、ナイロンコードによる切断性能を向上させることができるとともに、ナイロンコードに無理な力が作用しにくくなるため、ナイロンコードの折損をなるべく回避することができる。
【００２３】
本考案に係るナイロンコード式刈払機用カッターヘッドにおいて、ナイロンコード２が摩滅した場合など、ナイロンコード２の取り替えが必要なときは、カッターヘッド１底面において凹所５側からガイド孔６に挿入されている古いナイロンコードを引き抜き、新たなナイロンコードを挿入するだけで、簡単に取り替えることができる。
【符号の説明】
【００２４】
１…カッターヘッド、  ２…ナイロンコード、  2a…稜線、  ３…切欠部、  3a…稜線、  ４…ストッパー、  ５…凹所、  ６…ガイド孔、  6a…内方部分、  6b…外方部分、  ７…刈払機本体、  ８…受刃金具、  ９…締付ボルト、  10…切断刃、  11…取り付け構造、  12…アール曲面。
【図１】
0003165107.tif 000003
【図２】
0003165107.tif 000004
【図３】
0003165107.tif 000005
【図４】
0003165107.tif 000006
【図５】
0003165107.tif 000007
【図６】
0003165107.tif 000008
【図７】
0003165107.tif 000009